(57)【要約】 本発明はフィルタードラムによる加圧逆洗方式のフィルター装置を提供する。本発明の実施例に係るフィルタードラムによる加圧逆洗方式のフィルター装置は、流体が流出入する流入口および流出口を備えたハウジング；前記ハウジング内に上下に離隔して配置され、それぞれ円周方向に複数の貫通孔が設けられた上板および下板と、上下に開放された円筒状をし、両端がそれぞれ前記上板および下板の貫通孔に嵌合されて上下に連通させる複数のフィルタードラムと、前記各フィルタードラムに収容され、流入した流体をフィルタリングするフィルターエレメントとを含むフィルタリング手段；前記上板および下板の中心を貫いて設置される供給管と、流体を加圧して前記供給管の下部に流体を供給するシリンダーと、前記フィルタードラムの上部にモーターによって回転可能に設置され、内部に前記供給管と連通している噴射路が形成された上部ブランチと、前記フィルタードラムの下部に前記上部ブランチと共に回転するように設置され、内部に吐出路が形成される下部ブランチとを含むフィルター洗浄手段；を含んでなり、前記上部および下部ブランチが回転していずれか一つのフィルタードラムの上下部を密閉すると、前記シリンダーから供給された流体が前記噴射路を介して噴射されて前記フィルターエレメントを洗浄し、前記吐出路を介して排出されるが、前記上部ブランチには、前記ハウジング内の流体の圧力によって開放されて前記噴射路に流体を流入させる逆止弁が備えられることを特徴とする。
2014534070.tif 000002
【特許請求の範囲】
【請求項１】
流体が流出入する流入口（１１０）および流出口（１２０）を備えたハウジング（１００）；
前記ハウジング（１００）内に上下に離隔して配置され、それぞれ円周方向に複数の貫通孔（２１１、２２１）が設けられた上板（２１０）および下板（２２０）と、上下に開放された円筒状をし、両端がそれぞれ前記上板（２１０）および下板（２２０）の貫通孔（２１１、２２１）に嵌合されて上下に連通させる複数のフィルタードラム（２３０）と、前記各フィルタードラム（２３０）に収容され、流入した流体をフィルタリングするフィルターエレメント（２４０）とを含むフィルタリング手段（２００）；
前記上板（２１０）と前記下板（２２０）の中心を貫いて設置される供給管（３１０）と、流体を加圧して前記供給管（３１０）の下部に流体を供給するシリンダー（３２０）と、前記フィルタードラム（２３０）の上部にモーター（３５０）によって回転可能に設置され、内部に前記供給管（３１０）と連通している噴射路（３３１）が形成された上部ブランチ（３３０）と、前記フィルタードラム（２３０）の下部に前記上部ブランチ（３３０）と共に回転するように設置され、内部に吐出路（３４１）が形成される下部ブランチ（３４０）とを含むフィルター洗浄手段（３００）；を含んでなり、
前記上部および下部ブランチ（３３０、３４０）が回転していずれか一つのフィルタードラム（２３０）の上下部を密閉すると、前記シリンダー（３２０）から供給された流体が前記噴射路（３３１）を介して噴射されて前記フィルターエレメント（２４０）を洗浄し、前記吐出路（３４１）を介して排出されるが、前記上部ブランチ（３３０）には、前記ハウジング（１００）内の流体の圧力によって開放されて前記噴射路（３３１）に流体を流入させる逆止弁（３５０）が備えられることを特徴とする、フィルタードラムによる加圧逆洗方式のフィルター装置。
【請求項２】
前記モーター（３５０）には、モーター（３５０）の回転を制御して前記上部ブランチ（３３０）と前記下部ブランチ（３４０）が前記いずれか一つの貫通孔（２１１、２２１）と正確に対応する箇所に位置するようにする制御手段（３６０）がさらに含まれることを特徴とする、請求項１に記載のフィルタードラムによる加圧逆洗方式のフィルター装置。
【請求項３】
前記制御手段（３６０）は、円周に沿って一定の間隔で円弧状の溝（３６１ａ）が設けられた第１円板（３６１）と、前記第１円板（３６１）の上面に位置して前記溝（３６１ａ）の有無を判断するセンサー（３６２）と、前記第１円板（３６１）の上側で前記モーター（３５０）によって回転する回転アーム（３６３）と、前記回転アーム（３６３）の両端から下方に突出し、前記溝（３６１ａ）に挿入されながら前記第１円板（３６１）を押して回転させる突出棒（３６４）と、前記センサー（３６２）の信号を受信して前記モーター（３５０）の回転を制御する第１コントローラ（３６５）とから構成されることを特徴とする、請求項２に記載のフィルタードラムによる加圧逆洗方式のフィルター装置。
【請求項４】
前記制御手段（３６０）は、円周に沿って一定の間隔で上方に突出した接触棒（３６６ａ）を有する第２円板（３６６）と、前記第２円板（３６６）の上側に位置し、前記接触棒（３６６ａ）と接点しながら回動してから元の状態に回復する接点棒（３６７）と、前記接点棒（３６７）が接点する信号に応じて前記モーター（３５０）の回転を制御する第２コントローラ（３６８）とから構成されることを特徴とする、請求項２に記載のフィルタードラムによる加圧逆洗方式のフィルター装置。
【請求項５】
前記各フィルターエレメント（２４０）の内部には、下側に行くほど断面積が漸進的に大きくなるようにテーパーされた流速調節棒（２５０）がさらに備えられることを特徴とする、請求項１に記載のフィルタードラムによる加圧逆洗方式のフィルター装置。
【請求項６】
前記下部ブランチ（３４０）には、前記吐出路（３４１）と連通しており、前記フィルターエレメント（２４０）を洗浄した流体が排出されるドレインバルブ（４００）が連結されることを特徴とする、請求項１に記載のフィルタードラムによる加圧逆洗方式のフィルター装置。
【請求項７】
前記シリンダー（３２０）は、ピストン（３２１）の前方と前記ハウジング（１００）の上部が連結されて洗浄のための流体の供給を受け、前記ピストン（３２１）の後方と前記ハウジング（１００）の下部が連結されて前記ピストン（３２１）の加圧力を増加させることを特徴とする、請求項１に記載のフィルタードラムによる加圧逆洗方式のフィルター装置。
【発明の詳細な説明】
【技術分野】
【０００１】
本発明は、自動洗浄可能なフィルター装置に係り、より詳しくは、シリンダーの加圧によってフィルターが自動的に洗浄されるフィルター装置に関する。
【背景技術】
【０００２】
一般に、大部分の生産工程または各種産業施設では、気体や液体などの流体の伝達を必要とする。
この際、使用される流体に異物が含まれているか否かが該当生産工程の収率および性能に及ぼす影響は非常に大きい。
よって、このような流体は、十分にフィルタリングされた高純度の流体として供給されなければならない。
【０００３】
ところが、フィルターは、円周の圧力が十分でない場合にフィルターの効率が低いうえ、時間の経過に伴ってフィルターの網目（Ｍｅｓｈ）が詰まる。このようにフィルターの網目が詰まると、該当装置を停止させ、そのフィルターを洗浄した後、さらに稼働を行わなければならないので、処理効率が急激に低下してしまう。
【０００４】
また、フィルターを交換する場合にも、同様に該当装置を停止させた後にフィルターを取り替える作業が必要であり、フィルターの交換は、その分費用を増加させて維持費用の増加をもたらす。
【０００５】
かかる問題を解決するために、従来の韓国登録特許第１０−１０５４２３６号（２０１１年７月２９日）では「自動洗浄されるフィルターシステム」（以下「先行技術」という。）を開示している。図１は従来の自動洗浄されるフィルターシステムを示す斜視図である。
【０００６】
先行技術について簡略に説明すると、流体が流入する流入口と、流入した流体が通過する複数のフィルターエレメント１３と、前記フィルターエレメント１３を取り囲み、選択される場合に洗浄用として一つが使用される複数のエレメントドラム１４と、シャフトで連結されて上部および下部に備えられ、自動洗浄のために選択された特定のエレメントドラム１４ａに連結されるブランチ１５と、フィルタリングされた流体が流出する流出口とを含むフィルターボディ１０；前記フィルターボディ１０に備えられ、自動洗浄の際にその前端部の流体が前記フィルターボディ１０の上部に加圧流入した後、自動洗浄のために選択された特定のエレメントドラム１４ａの上端部に流入し、自動洗浄のために選択された特定のエレメントドラム１４ａの下端部の流体がその後端部へ吸入されるシリンダー２０；前記フィルターボディ１０の側面に備えられ、第１軸は前記フィルターボディ１０に連結され、第２軸は前記シリンダー２０に連結され、第３軸は前記フィルターボディ１０の上部に連結され、自動洗浄の際に前記第２および第３軸が連結される第１三方弁３０；および前記フィルターボディ１０の側面に備えられ、第１軸は前記フィルターボディ１０に連結され、第２軸は前記シリンダー２０に連結され、第３軸はドレインタンクに連結され、自動洗浄の際に前記第１および第２軸が連結される第２三方弁４０；を含んでなる構造を持つ。
【０００７】
このような先行技術によれば、シリンダー加圧によって自動的に洗浄されるので、洗浄機能が強化されるうえ、自動洗浄の際に発生する脈動現象が遮断される。そして、必要に応じて自動洗浄の回数を調節することができ、自動洗浄の際に使用される流体と排出される流体の量を最小化することができるという効果があった。
【０００８】
ところが、シリンダーから１回自動洗浄のために排出する流体の量が一定であるから、１回のみでは洗浄が円滑に行われないため、シリンダーが反復的に加圧、復帰するように作動しなければならない。これは洗浄を遅延させる原因になった。
【発明の概要】
【発明が解決しようとする課題】
【０００９】
本発明は、上述した問題点を解決するために案出されたもので、その目的は、逆止弁を備えることにより、フィルター洗浄のための流体に加えて、フィルタリングされた流体が内部の圧力によって洗浄のための流体として使用できるようにする、フィルタードラムによる加圧逆洗方式のフィルター装置を提供することにある。
【課題を解決するための手段】
【００１０】
本発明のある観点によれば、流体が流出入する流入口および流出口を備えたハウジング；前記ハウジング内に上下に離隔して配置され、それぞれ円周方向に複数の貫通孔が設けられた上板および下板と、上下に開放された円筒状をし、両端がそれぞれ前記上板および下板の貫通孔に嵌合されて上下に連通させる複数のフィルタードラムと、前記各フィルタードラムに収容され、流入した流体をフィルタリングするフィルターエレメントとを含むフィルタリング手段；前記上板および下板の中心を貫いて設置される供給管と、流体を加圧して前記供給管の下部に流体を供給するシリンダーと、前記フィルタードラムの上部にモーターによって回転可能に設置され、内部に前記供給管と連通している噴射路が形成された上部ブランチと、前記フィルタードラムの下部に前記上部ブランチと共に回転するように設置され、内部に吐出路が形成される下部ブランチとを含むフィルター洗浄手段；を含んでなり、前記上部および下部ブランチが回転していずれか一つのフィルタードラムの上下部を密閉すると、前記シリンダーから供給された流体が前記噴射路を介して噴射されて前記フィルターエレメントを洗浄し、前記吐出路を介して排出されるが、前記上部ブランチには、前記ハウジング内の流体の圧力によって開放されて前記噴射路に流体を流入させる逆止弁が備えられることを特徴とする、フィルタードラムによる加圧逆洗方式のフィルター装置が提供できる。
【００１１】
ここで、前記モーターには、モーターの回転を制御して前記上部ブランチと前記下部ブランチが前記いずれか一つの貫通孔と正確に対応する箇所に位置するようにする制御手段がさらに含まれてもよい。
【００１２】
この際、前記制御手段は、円周に沿って一定の間隔で円弧状の溝が設けられた第１円板と、前記第１円板の上面に位置して前記溝の有無を判断するセンサーと、前記第１円板の上側で前記モーターによって回転する回転アームと、前記回転アームの両端から下方に突出し、前記溝に挿入されながら前記第１円板を押して回転させる突出棒と、前記センサーの信号を受信して前記モーターの回転を制御する第１コントローラとから構成できる。
【００１３】
或いは、前記制御手段は、円周に沿って一定の間隔で上方に突出した接触棒を有する第２円板と、前記第２円板の上側に位置し、前記接触棒と接点しながら回動してから元の状態に回復する接点棒と、前記接点棒が接点する信号に応じて前記モーターの回転を制御する第２コントローラとから構成できる。
【００１４】
一方、前記各フィルターエレメントの内部には、下側に行くほど断面積が漸進的に大きくなるようにテーパーされた流速調節棒がさらに備えられてもよい。
前記下部ブランチには、前記吐出路と連通しており、前記フィルターエレメントを洗浄した流体が排出されるドレインバルブが連結できる。
また、前記シリンダーは、前記ハウジングと連結されて洗浄のための流体の供給を受けることができる。
【発明の効果】
【００１５】
本発明の実施例に係る効果は、次のとおりである。
一つ目は、簡単な構造を持つので製造コストが低く、流体をフィルタリングしながら複数のフィルターのうちいずれか一つを洗浄することにより、フィルターの洗浄または交換のために装置を停止する必要がないため効率的な使用が可能であり、自動的にフィルターを洗浄することにより交換または補修による費用が大きく節減される。
【００１６】
二つ目は、上部ブランチに逆止弁を設置することにより、シリンダーのみで洗浄するときに足りない洗浄用流体をさらに供給することができるため、１回のみでフィルターエレメントを容易に洗浄することができる。
三つ目は、流速調節棒が設置され、フィルターエレメントの上部だけでなく下部までも均一かつ確実に洗浄することができる。
【図面の簡単な説明】
【００１７】
【図１】従来の自動洗浄されるフィルターシステムを示す斜視図である。
【図２】本発明の好適な一実施例に係るフィルタードラムによる加圧逆洗方式のフィルター装置を示す内部切開斜視図である。
【図３】本発明の制御手段の構成を示す構成図である。
【図４】本発明の流速調節棒を示す断面図である。
【図５】本発明における流体のフィルタリング過程を示す作動状態図である。
【図６】本発明におけるフィルターの洗浄過程を示す作動状態図である。
【図７】シリンダーに水を供給する概略的な構造を示す構造図である。
【発明を実施するための形態】
【００１８】
以下に添付図面を参照しながら、本発明の好適な一実施例を詳細に説明する。下記の説明および添付図面に示された内容は、本発明の全般的な理解のために提示されたものに過ぎず、本発明の技術的範囲を限定するものではない。本発明の要旨を無駄に不明確にするおそれのある公知の構成および機能に関する詳細な説明は省略する。
【００１９】
図２は本発明の好適な一実施例に係るフィルタードラムによる加圧逆洗方式のフィルター装置を示す内部切開斜視図である。
図２を参照すると、本発明は、大きくはハウジング１００、フィルタリング手段２００およびフィルター洗浄手段３００から構成され、前記フィルター洗浄手段３００に逆止弁３５０が含まれた構造である。
【００２０】
まず、前記ハウジング１００は、内部に空間を有する容器状をしており、一側下部には汚染した流体が流入する流入口１００、一側上部にはフィルタリングされた流体が流出する流出口１２０がそれぞれ設けられる。ところが、これに限定されず、必要に応じて、前記流出口１２０から流体が流入し、流入口１１０から流体が流出してもよい。
【００２１】
次に、前記フィルタリング手段２００は、前記ハウジング１００の内部に設置され、前記流入口１１０から流入した汚染流体をフィルタリングした後、前記流出口１２０から流出させる。
【００２２】
このために、前記フィルタリング手段２００は、図示の如く、上板２１０および下板２２０、複数のフィルタードラム２３０、並びに前記各フィルタードラム２３０に収容されるフィルターエレメント２４０から構成できる。
【００２３】
前記上板２１０と前記下板２２０は、それぞれ前記ハウジング１００の内部を水平方向に分割しながら上下に離隔して設置され、それぞれ円周方向に一定の間隔で貫通した孔たる貫通孔２１１、２２１が設けられる。この際、前記上板２１０と前記下板２２０の貫通孔２１１、２２１はそれぞれ垂直に互いに対応する位置に配置される。  
【００２４】
前記フィルタードラム２３０は、上下に開放された円筒状を有し、両端が前記上板２１０と下板２２０の貫通孔２１１、２２１に嵌合される。すなわち、前記上板２１０の各貫通孔２１１と前記下板２２０の各貫通孔２２１とを互いに連通させる。
【００２５】
また、前記フィルタードラム２３０の内部には前記フィルターエレメント２４０が挿入、収容される。前記フィルターエレメント２４０は汚染流体の異物を濾過するものである。好ましくは、前記フィルターエレメント２４０は、下部が開放され上部には蓋がある下部オーブン型であって、下側から流体が流入してフィルタリングされる。
【００２６】
次に、前記フィルター洗浄手段３００は、前記ハウジング１００内で前記上板２１０の上側と前記下板２２０の下側に備えられて回転可能な構造を有し、前記複数のフィルタードラム２３０のうちいずれか一つを選択してその内部のフィルターエレメント２４０を洗浄する。
【００２７】
これを達成するために、前記フィルター洗浄手段３００は、供給管３１０、シリンダー３２０、上部ブランチ３３０および下部ブランチ３４０から構成でき、制御手段３６０がさらに含まれてもよい。
前記供給管３１０は、前記上板２１０および前記下板２２０の中心を貫通するパイプであって、前記シリンダー３２０から供給される洗浄用流体を供給する。
【００２８】
前記シリンダー３２０は、前記ハウジング１００の一側に設置され、連結管３７０によって前記供給管３１０と連通して前記供給管３１０へ洗浄のための流体をピストン運動によって加圧、供給する。
【００２９】
また、前記上部ブランチ３３０は、前記上板２１０の上側に設置され、モーターＭによって回転可能であり、内部に噴射路３３１が形成される。略「┐」字状をなし、前記供給管３１０と噴射路３３１とが互いに連通し、前記噴射路３３１が前記フィルタードラム２３０のうちいずれか一つと連通することにより、前記供給管３１０から供給された流体が噴射路３３１を介して前記フィルタードラム２３０の内部へ噴射されるように作動する。
【００３０】
また、前記下部ブランチ３４０は、前記下板２２０の下側に設置され、前記上部ブランチ３３０と共にモーターＭによって回転可能であり、内部に吐出路３４１が形成される。 略「Ｌ」字状をなし、前記フィルタードラム２３０から排出される流体が前記吐出路３４１に流入し、前記吐出路３４１を介して外部へ排出される。
この際、本発明の技術的核心に該当する逆止弁３５０が前記上部ブランチ３３０に設置できる。
【００３１】
前記逆止弁３５０は、一方向にのみ流体の流れを許容する技術的手段であって、前記上部ブランチ３３０の外部から内部、すなわち噴射路３３１へ流体が流入するが、逆に、前記噴射路３３１から前記上部ブランチ３３０の外部へ流体が流出することを遮断させる。
【００３２】
これは、従来の前記シリンダー３２０から１回洗浄のために供給する流体の量が足りない場合にシリンダー３２０の反復的な作動が必要であったことを改善したものであって、前記ハウジング１００内のフィルタリング済みの流体の一部が圧力によって前記逆止弁３５０を介して前記噴射路３３１へ流入できるため、前記シリンダー３２０から供給された洗浄用流体の不足量を補充しながら前記フィルターエレメント２４０の洗浄を助けることができる。
【００３３】
ところが、前記上部および下部ブランチ３３０、３４０が前記モーターＭによって回転するが、前記モーターＭが制御手段３６０によって制御されるから、前記上部および下部ブランチ３３０、３４０の噴射路３３１および吐出路３４１がそれぞれ前記貫通孔２１１、２２１に正確に位置し、洗浄しようとするいずれか一つのフィルタードラム２３０に固定される。
【００３４】
図３を参照して、前記制御手段についてさらに説明する。図３は本発明の制御手段の構成を示す構成図である。
図３（ａ）に示すように、前記制御手段３６０は第１円板３６１、センサー３６２、回転アーム３６３、突出棒３６４、および第１コントローラ３６５から構成できる。
前記第１円板３６１はその円周方向に沿って一定の間隔で溝３６１ａが設けられるが、前記溝は円弧状にその中心に向かって刻まれた形状である。
前記センサー３６２は、前記第１円板３６１の上側に位置して前記溝３６１ａの有無を感知するものである。
【００３５】
前記回転アーム３６３は、平板形状をしており、前記モーターＭによって回転するもので、前記第１円板３６１の上側に位置する。また、前記突出棒３６４は、前記回転アーム３６３の両端から下方に突出し、前記溝３６１ａに挿入できる。
また、前記第１コントローラ３６５は、前記センサー３６２の信号を受信して前記モーターＭの回転を制御する。
【００３６】
したがって、前記いずれか一つの突出棒３６４が回転して前記第１円板３６１の溝３６１ａに挿入されながらその第１円板３６１を押すことになり、前記第１円板３６１が回転する。
【００３７】
前記センサー３６２は、図示の如く、前記第１円板３６１の上面から前記溝３６１ａの有無を識別してそれに対応する信号を送り、前記第１コントローラ３６５は、前記センサー３６２の信号を受信して前記モーターＭの回転を制御する。
一方、前記制御手段３６０は、図３（ｂ）のように、第２円板３６６、接点棒３６７および第２コントローラ３６８から構成できる。
【００３８】
前記第２円板３６６は、回転する円板状を有し、その円周方向に沿って一定の間隔で、上方に突出した接触棒３６６ａを有する。
前記接点棒３６７は、前記第２円板３６６の上側に位置し、前記接触棒３６６ａと接点しながら回動してからさらに元の状態に回復するのである。
また、前記第２コントローラ３６８は、前記接点棒３６７が接点する信号に応じて前記モーターＭの回転を制御する。
【００３９】
このように前記接触棒３６６ａと接点棒３６７とが互いに接点する瞬間の信号に応じて前記モーターＭの回転を制御しても、上述したように制御されるため、同一の効果を得ることができる。
【００４０】
一方、本発明において、前記各フィルターエレメント２４０の内部には、洗浄の際に流入する流体の流速が一定に保たれるようにする流速調節棒２５０がさらに備えられてもよい。図４は本発明の流速調節棒を示す断面図である。
【００４１】
図示の如く、前記流速調節棒２５０は、前記フィルターエレメント２４０の内部空間に位置し、下側に行くほど断面積が漸進的に大きくなるようにテーパーされた棒状を有する。
【００４２】
前記上部ブランチ３３０の噴射路３３１を介して噴射された洗浄用流体は前記特定のいずれか一つのフィルターエレメント２４０の上部に進入するが、この流体は、前記流速調節棒２５０とフィルターエレメント２４０の内壁との間を流動して前記フィルターエレメント２４０を通過しながら、表面に固着している各種滓を落として洗浄した後、外部に流出する。
【００４３】
一般に、前記フィルターエレメント２４０の上部から流入した流体の流速は、最初には速いが下側に行くほど弱くなる。ところが、前記流速調節棒２５０がテーパーされた形状を持つので、下側に行くほど前記流速調節棒２５０とフィルターエレメント２４０の内壁との間隔が益々狭くなってノズルの役割を果たすため、ベルヌイ原理によって流速が減少しない。よって、前記フィルターエレメント２４０全体が均一に洗浄できる。
【００４４】
以下、図５および図６を参照して本発明の作動状態を説明する。図５は本発明における流体のフィルタリング過程を示す作動状態図、図６は本発明におけるフィルターの洗浄過程を示す作動状態図である。
【００４５】
図５を参照すると、フィルタリング状態の場合、汚染した流体が前記流入口１１０から流入して前記下板２２０の貫通孔２２１を介して各フィルタードラム２３０の内部へ上向きに流入する。
【００４６】
その次、流入した汚染流体は、前記フィルターエレメント２４０を通過しながらフィルタリングされ、前記フィルタードラム２３０の上部へ移動して前記流出口１２０から流出する。
【００４７】
このように吸入される流体をフィルタリングしている状態で、前記フィルターエレメント２４０のうちいずれか一つを洗浄するときは、図６に示すように、前記モーターＭの駆動によって前記上部および下部ブランチ３３０、３４０が回転して、選択されたフィルタードラム２３０の上端に前記上部ブランチ３３０が位置し、下端に前記下部ブランチ３４０が位置することにより前記フィルタードラム２３０を密閉する。
【００４８】
次いで、前記シリンダー３２０内のピストン３２１が下降しながら、内部に貯留された洗浄用流体が、前記連結管３７０、供給管３１０及び噴射路３３１を介して、選択された前記フィルタードラム２３０の内部に噴射される。噴射された流体は、前記フィルタードラムの内部にあるフィルターエレメント２４０の中に進入して外部へ流出しながら洗浄する。
【００４９】
この際、前記フィルタードラム２３０の上端、すなわち前記噴射路３３１から噴射された流体が流入する入り口側には、流入する流体が渦巻きの流れを持つことができるように別途の曲がった形の羽根がさらに備えられてもよい。このような構造は、流体が直線に流入する構造より一層効果的に洗浄が行われる。
【００５０】
このように洗浄を済ませた流体は前記吐出路３４１を介して排出されるが、好ましくは、前記吐出路３４１と連通するドレインバルブ４００がさらに備えられ、洗浄を済ませた流体をドレインタンク（図示せず）に収去することができる。
【００５１】
ここで、図６および前述のように洗浄が行われるとき、前記逆止弁３５０を介して前記ハウジング１００内のフィルタリング済みの流体の一部が流入して洗浄に使用される。
【００５２】
勿論、このように洗浄が完了すると、前記制御手段３６０の制御によって前記上部および下部ブランチ３３０、３４０は、さらに回転して他のフィルターエレメント２４０を洗浄することを繰り返し行うことができる。
参考として、図７はシリンダーに水を供給する概略的な構造を示す構造図である。
【００５３】
前記シリンダー３２０の内部には流体をポンピングするピストン３２１が備えられるが、前記ハウジング１００の上部は前記ピストン３２１の前方、すなわち前記ピストン３２１の下部に連結され、これにより、前記ハウジング１００の上部にあるフィルタリング済みのクリーンな流体が前記シリンダー３２０の内部に供給されて洗浄のために使用できる。
【００５４】
前記ハウジング１００の下部は前記ピストン３２１の後方、すなわち前記ピストン３２１の上部に連結され、これにより、前記ハウジング１００の下部にあるフィルタリング前の流体が前記ピストン３２１に供給されて前記ピストン３２１の加圧力を補助することができる。
【００５５】
前述した本発明の好適な実施例を参照して説明したが、該当技術分野における通常の知識を有する者であれば、下記の特許請求の範囲で本発明の思想および領域から逸脱しない範疇内において本発明に様々な修正および変更を加え得ることを理解することができるであろう。
【産業上の利用可能性】
【００５６】
本発明は、自動洗浄可能なフィルター装置に関するもので、より詳しくはシリンダーの加圧によってフィルターが自動的に洗浄されるフィルター装置分野に利用可能である。
【図１】
2014534070.tif 000003
【図２】
2014534070.tif 000004
【図３】
2014534070.tif 000005
【図４】
2014534070.tif 000006
【図５】
2014534070.tif 000007
【図６】
2014534070.tif 000008
【図７】
2014534070.tif 000009
【国際調査報告】
2014534070.tif 000010
2014534070.tif 000011
2014534070.tif 000012
2014534070.tif 000013